(57)【特許請求の範囲】
【請求項１】
（イ）  １対のフィードロール（２１，２２）と、前記フィードロール（２１，２２）からストランドが送り出される方向に配置された回転刃（２４）と、前記フィードロール（２１，２２）と回転刃（２４）との間に配置された固定刃（２３）とを具備し、樹脂押出機より押し出され冷却された樹脂ストランドをペレットに切断するストランドカッターにおいて、
（ロ）  前記回転刃（２４）は、前記固定刃（２３）に対して接近または離隔可能な移動調整手段により支持されて成り、
（ハ）  前記移動調整手段は、回転刃（２４）の軸（２４ａ）の両端を支持する軸受（２７，２７）の軸受ケース（２８，２８）を調整ねじ軸（３２）により、その調整ねじ軸（３２）の軸芯方向に進退直線移動させる構造を有し、
（ニ）  前記固定刃（２３）は、その固定刃（２３）と前記回転刃（２４）を納めているストランドカッターの筺体（２０）に固定された固定部材（２５）にボルト（２６）により固定されていることを特徴とするストランドカッター。
【発明の詳細な説明】
【０００１】
【発明の属する技術分野】
本発明はストランドカッターに関する。詳しくは、樹脂押出機から押し出され、冷却されたストランドをペレットに切断する場合に用いるストランドカッターに関する。
【０００２】
【従来の技術】
従来のペレット製造装置を図３に示す。これは、樹脂押出機１と、該樹脂押出機１から押し出されたストランド（紐状の樹脂）２を、複数本のパイプ３から供給された水４で形成された水流で冷却しながら搬送する傾斜した樋状の搬送路５と、冷却されたストランド２をペレット６に切断するストランドカッター７とより構成されている。
【０００３】
そして、ストランドカッター７は図４に示すように、ガイドロール８と、シュート９と、該ガイドロール８とシュート９より供給されるストランド２を引き込む一対のフィードロール１０，１０′と、該、フィードロール１０，１０′から送り出されたストランド２を切断する固定刃１１と回転刃１２とより構成され、前記固定刃１１はストランド２を下から支え、回転刃１２は矢印Ａ方向に回転して固定刃１１上のストランド２を上方から下方へ向かって切断するようになっている。
【０００４】
このようなストランドカッターでは、固定刃１１と回転刃１２との間隔が適正でないとストランド２が直角に切断されず、斜めに切断されてペレットの形状が不良となる。そのため回転刃１２に対して固定刃１１の位置を調整できるようになっている。この固定刃１１の調整は、例えば固定刃１１を支持軸１３で回動可能に支持し、固定刃１１の下部を押圧するボルト１４及び１４′を設け、該ボルト１４及び１４′で固定刃１１を左右に移動調整する機構が用いられている。
【０００５】
【発明が解決しようとする課題】
上記従来のストランドカッターの固定刃調整機構では、固定刃１１を調整するボルト１４，１４′がフィードロール１０，１０′と回転刃１２の下方にあるため固定刃１１の位置を調整する場合には、回転刃１２が回転中では危険であるため、固定刃１１の位置調整時は回転刃１２を止める必要がある。ところが、回転刃１２を止めることは、樹脂押出機も一時停止することになる。また固定刃１１の位置調整は１回で最適位置に調整できることは殆どなく、複数回行う必要があり、その都度樹脂押出機を停止・作動を繰り返さねばならない。このため作業が煩雑になり且つ時間も長時間を要するという問題が生ずる。
【０００６】
本発明は上記従来の問題点に鑑み、固定刃と回転刃との間のクリアランスの調整を回転刃の運転中でも安全に、且つ短時間で容易に行うことができるストランドカッターを実現することを目的とする。
【０００７】
【課題を解決するための手段】
本発明は、（イ）  １対のフィードロール２１，２２と、それら１対のフィードロール２１，２２からストランドが送り出される方向に配置された回転刃２４と、それら１対のフィードロール２１，２２と回転刃２４との間に配置された固定刃２３とを具備し、樹脂押出機より押し出され冷却された樹脂ストランドをペレットに切断するストランドカッターにおいて、（ロ）  その回転刃２４は、前記固定刃２３に対して接近または離隔可能な移動調整手段により支持されて成り、（ハ）  前記移動調整手段は、前記回転刃２４の軸２４ａの両端を支持する軸受２７，２７の軸受ケース２８，２８を調整ねじ軸（３２）により、その調整ねじ軸３２の軸芯方向に進退直線移動させる構造を有することを特徴とする。
【０００８】
この構成を採ることにより、調整ねじ軸により回転刃の軸受を移動させて、回転刃と固定刃との間隔を調整できるため、回転刃から離れた位置に調整ねじ軸の回転把手を設けることができ、回転刃が回転中でも安全に調整作業をすることができる。また調整作業が回転刃の回転中でも可能であるため樹脂押出機の運転を止める必要がなく、また１回の調整で最適な調整が可能となる。
【０００９】
【発明の実施の形態】
図１及び図２は本発明の実施の形態を示す図で、図１は上面図、図２は図１のＡ−Ａ線における断面図でをる。本実施の形態は両図に示すように、筐体２０と、１対のフィードロール２１，２２と、固定刃２３と、回転刃２４と、図示なき駆動モータとを具備している。
【００１０】
そして、１対のフィードロール２１，２２の下側ロール２２は駆動モータにより回転駆動されるようになっており、上側ロール２１は図示なきエアシリンダにより上下移動可能であり、下側ロール２２との間の間隔を調整することが可能となっている。
【００１１】
また、固定刃２３は板状をなし、一方の辺に切刃２３ａが形成されている。そして該固定刃２３は、その切刃２３ａを回転刃２４に対向させて配置され、筐体２０に設けられた固定刃固定部材２５にボルト２６により固定されている。
【００１２】
また、回転刃２４は回転軸２４ａを有し、その切刃を前記固定刃２３の切刃２３ａに対向させて配置され、回転軸２４ａの両端をそれぞれ軸受２７を介して軸受ケース２８により支持されている。そして該軸受ケース２８には左右に長い複数の長孔２９が設けられ、該長孔２９を挿通したボルト３０により筐体２０に固定されている。なお、２４ｂは回転刃２４の回転軸２４ａに取り付けられた回転刃駆動用のプーリ、２４ｃはそのカバーである。
【００１３】
また、軸受ケース２８にはねじ孔を有するボス３１が設けられ、該ボス３１のねじ孔には調整ねじ軸３２が螺合されている。そして、該調整ねじ軸３２は筐体２０に取り付けられた調整ねじ軸支持部材３３を挟んでカラー３４と回転板３５がそれぞれピン３６により固定されており、回転板３５にはハンドル３７が取り付けられている。
【００１４】
また、筐体２０には、フィードロール２１，２２側の側壁に、ストランドを導入するストランド導入シュート３８が設けられ、固定刃１１と回転刃１２との接点の下方にはペレットを排出するペレット排出シュート３９が設けられている。また、筐体２０には位置スケール４０とダイヤルゲージ４１が設けられ、軸受ケース２８には位置スケール４０に対応して指針４０ａが、ダイヤルゲージ４１に対応して固定片４１ａがそれぞれ設けられている。
【００１５】
このように構成された本実施の形態の作用を図２により説明する。まず図示なき樹脂押出機より押し出され冷却された樹脂ストランドは筐体２０のストランド導入シュート３８からフィードロール２１，２２により引き込まれ、次いで固定刃２３の上を回転刃２４の方向に送り出される。そして回転刃２４に接触すると、該回転刃２４の切刃と固定刃２３の切刃２３ａとにより切断されペレットに形成される。切断されたペレットは、回転刃２４により下方に投げだされペレット排出シュート３９を通して外部に排出される。
【００１６】
そして、ペレットの形状が異常になったときは、固定刃２３と回転刃２４との間のクリアランスが大きくなったものであるから、そのクリアランスを調整する必要がある。クリアランスの調整は、先ず軸受ケース２８を固定しているボルト３０を僅かに緩め、次いで調整手段のハンドル３７を回転することにより、調整ねじ軸３２を回転させる。調整ねじ軸３２はカラー３４と回転板３５とによりボス３３を挟んでいるので軸方向には移動しない。
【００１７】
従って、調整ねじ軸３２の回転はそのねじ部に螺合した軸受ケース２８のボス３１を左右に移動させる。これにより軸受ケース２８も左右に移動させられることになる。このようにして回転刃２４を固定刃２３に対して接近または離隔してクリアランスを調整することができる。この際、回転刃２４の最適位置はペレットの形状で判断できる。また、固定刃２３又は回転刃２４を交換した後の調整は、おおよその目安は位置スケール４０と指針４０ａとで行い、最終微調整はダイアルゲージ４１により行うことができる。調整後はボルト３０を締めつけ軸受ケース２８を固定する。
【００１８】
以上の如く、本実施の形態によれば、調整ねじ軸を有する調整手段により回転刃の軸受を移動させて、回転刃と固定刃との間隔を調整できるため、回転刃から離れた位置、即ち筐体外に調整ねじ軸の回転把手を設けることができるため、回転刃が回転中でも安全に調整作業ができる。また調整作業が回転刃の回転中でも可能であるため樹脂押出機の運転を止める必要はなく、また１回の調整で最適な調整が可能となる。
【００１９】
【発明の効果】
本発明のストランドカッターに依れば、調整ねじ軸を有する調整手段により回転刃の軸受を移動させて、回転刃と固定刃との間隔を調整できるため、筐体外部に調整ねじ軸の回転把手を設けることができるため、回転刃が回転中でも安全に調整作業ができる。また調整作業が回転刃の回転中でも可能であるため樹脂押出機の運転を止める必要はなく、また１回の調整で最適な調整が可能となり、従来に比して調整時間の短縮が可能となる。これによりペレット製造装置の稼動率の向上に寄与することができる。
【図面の簡単な説明】
【図１】本発明の実施の形態を示す上面図である。
【図２】図１のＡ−Ａ線における断面図である。
【図３】従来のペレット製造装置を示す斜視図である。
【図４】従来のストランドカッターを示す断面図である。
【符号の説明】
２０…筐体
２１，２２…フィードロール
２３…固定刃
２４…回転刃
２５…固定刃固定部材
２６，３０…ボルト
３１…ボス
３２…調整ねじ軸
３３…調整ねじ軸支持部材
３４…カラー
３５…回転板
３６…ピン
３７…ハンドル
３８…ストランド導入シュート
３９…ペレット排出シュート
４０…スケール
４１…ダイヤルゲージ
【図１】
0003713615.tif 000002
【図２】
0003713615.tif 000003
【図３】
0003713615.tif 000004
【図４】
0003713615.tif 000005